(57)【要約】【課題】  光軸と直交する方向の小型化が可能な撮像装置を提供することを目的とする。【解決手段】  複数の記憶媒体装着手段（３１ａ，３２ａ）を撮影光学系の光軸（５０）と平行な垂直面と略平行に配置し、且つ、複数の記憶媒体装着手段（３１ａ，３２ａ）をグリップ部３６の内部に配置する。【選択図】  図４
2005217803.tif 000002
【特許請求の範囲】
【請求項１】
画像を撮像する撮像素子と、
把持手により把持されるグリップ部と、
前記撮像素子によって撮像された画像データを記録するための形状の異なる複数の記憶媒体が装着可能な複数の記憶媒体装着手段とを有する撮像装置であって、
前記複数の記憶媒体装着手段は、前記記憶媒体がそれぞれ最も広い面を略並行で光軸と略平行に挿抜されるように、撮影光学系の光軸と平行な垂直面と略平行に配置されるとともに、
前記複数の記憶媒体装着手段は、前記グリップ部の内部に位置し、前記記憶媒体の挿抜方向に対して、前記記憶媒体の形状が長い記憶媒体を光軸側へ配置、または、前記記憶媒体の挿抜方向に対して、前記記憶媒体の略垂直方向の形状が長い記憶媒体を光軸側へ配置の何れか一方、または、両方の配置構成をなすことを特徴とする撮像装置。
【請求項２】
バッテリを自機器の底面に略並行になるように配置し、前記複数の記憶媒体装着手段は前記バッテリに対して、略直角となるように配置されていることを特徴とする請求項１に記載の撮像装置。
【請求項３】
前記複数の記憶媒体装着手段のうち、筐体近傍に配置される記憶媒体が、前記グリップ部の曲面内に略収まっていることを特徴とする請求項１又は２に記載の撮像装置。
【請求項４】
画像を撮像する撮像素子と、
把持手により把持されるグリップ部と、
前記撮像素子によって撮像された画像データを記録するための形状の異なる複数の記憶媒体が装着可能な撮像装置であって、
前記記憶媒体はそれぞれ最も広い面を略並行で光軸と略平行に挿抜されるように、撮影光学系の光軸と平行な垂直面と略平行に配置されるとともに、前記複数の記憶媒体は、前記グリップ部の内部に位置し、前記複数の記憶媒体のうち撮像装置への挿抜方向に対して、形状が長い記憶媒体を光軸側へ配置、または、前記複数の記憶媒体のうち挿抜方向に対して、前記記憶媒体の略垂直方向の形状が長い記憶媒体を光軸側へ配置の何れか一方、または、両方の配置構成をなすことを特徴とする撮像装置。
【請求項５】
バッテリを自機器の底面に略並行になるように配置し、前記複数の記憶媒体は前記バッテリに対して、略直角となるように配置されていることを特徴とする請求項４に記載の撮像装置。
【請求項６】
前記複数の記憶媒体のうち、筐体近傍に配置される記憶媒体が、前記グリップ部の曲面内に略収まっていることを特徴とする請求項４又は５に記載の撮像装置。
【発明の詳細な説明】
【技術分野】
【０００１】
本発明は、複数の記憶媒体（メモリカード等）を装着することができる撮像装置に関する。
【背景技術】
【０００２】
近年では、第１のメモリカードだけでなく、第１のメモリカードとは形状の異なる第２のメモリカードも装着することができるデジタルカメラが提案されている（例えば、特許文献１参照）。
【０００３】
【特許文献１】特開２００１−３３３３１３号公報
【発明の開示】
【発明が解決しようとする課題】
【０００４】
形状の異なる複数のメモリカードの装着が可能なデジタルカメラを小型に構成することを考えた場合、複数のカードスロットの配置が問題となる。例えば、特許文献１に記載のデジタルカメラでは、複数のカードスロットを撮像素子の近傍に撮像素子と平行に配置している。そのため、撮像素子の大きさと、カードスロットの大きさによっては、光軸と直交する方向の小型化が難しいという問題がある。このような問題は、デジタルカメラに限らず、画像を撮像する機能を有する装置（所謂、撮像装置）にも生じ得る問題である。
【０００５】
そこで、本発明は、複数の記憶媒体装着手段（カードスロット）を効率よく配置し、特に、光軸と直交する方向の小型化が可能なデジタルカメラを提供することを目的とする。
【課題を解決するための手段】
【０００６】
本発明の撮像装置は、上記の目的を達成するため、画像を撮像する撮像素子と、把持手により把持されるグリップ部と、前記撮像素子によって撮像された画像データを記録するための形状の異なる複数の記憶媒体が装着可能な複数の記憶媒体装着手段とを有する撮像装置であって、前記複数の記憶媒体装着手段は、前記記憶媒体がそれぞれ最も広い面を略並行で光軸と略平行に挿抜されるように、撮影光学系の光軸と平行な垂直面と略平行に配置されるとともに、前記複数の記憶媒体装着手段は、前記グリップ部の内部に位置し、前記記憶媒体の挿抜方向に対して、前記記憶媒体の形状が長い記憶媒体を光軸側へ配置、または、前記記憶媒体の挿抜方向に対して、前記記憶媒体の略垂直方向の形状が長い記憶媒体を光軸側へ配置の何れか一方、または、両方の配置構成をなすことを特徴とする。
【０００７】
また、本発明の撮像装置は、上記の目的を達成するため、画像を撮像する撮像素子と、把持手により把持されるグリップ部と、前記撮像素子によって撮像された画像データを記録するための形状の異なる複数の記憶媒体が装着可能な撮像装置であって、前記記憶媒体はそれぞれ最も広い面を略並行で光軸と略平行に挿抜されるように、撮影光学系の光軸と平行な垂直面と略平行に配置されるとともに、前記複数の記憶媒体は、前記グリップ部の内部に位置し、前記複数の記憶媒体のうち撮像装置への挿抜方向に対して、形状が長い記憶媒体を光軸側へ配置、または、前記複数の記憶媒体のうち挿抜方向に対して、前記記憶媒体の略垂直方向の形状が長い記憶媒体を光軸側へ配置の何れか一方、または、両方の配置構成をなすことを特徴とする。
【発明の効果】
【０００８】
本発明によれば、光軸と直交する方向の小型化が可能な撮像装置を提供することができる。
【発明を実施するための最良の形態】
【０００９】
以下、図面を参照しながら本発明に好適な実施形態を説明する。
図１は、本発明に好適な実施形態に係るデジタルカメラ１の構成を示す上面図であり、図２は、デジタルカメラ１の構成を示す背面図である。本実施形態では、デジタルカメラ１が一眼レフタイプのデジタルカメラである場合を説明するが、これに限定されないことは言うまでもない。
【００１０】
図１及び図２において、２はファインダー観察用の接眼窓である。３はＡＥ（自動露出）ロックボタン、４はＡＦ（オートフォーカス）の測距点選択ボタンである。５はデジタルカメラ１を縦位置に構えたときに使用する縦位置用ＡＥ（自動露出）ロックボタンで、ＡＥロックボタン３と同一の機能を有する。同様に６もデジタルカメラ１を縦位置に構えたときに使用する縦位置用の測距点選択ボタンで、測距点選択ボタン４と同一の機能を有する。
【００１１】
７は撮影操作を行うためのレリーズボタンであり、第１ストロークでＳＷ１がＯＮし、第２ストロークでＳＷ２がＯＮする構成となっている。８はメイン電子ダイヤルで、例えば９０°位相のずれた２ビットの信号をマイクロコンピュータに送ることにより、回転方向と回転クリック数が検出される。この回転方向と回転クリック数を検出することで、他の操作釦と併用して、カメラに数値を入力したり、撮影モードを切り換えたりすることが可能となる。尚、この情報設定方法は、特開昭６０−１０３３３１号公報においてすでに公知の技術であるので、ここでの詳細な説明は省略する。
【００１２】
図１及び図２において、９は撮影モード選択ボタン、１０はＡＦモード選択ボタン、１１は測光モード選択ボタンで、調光補正ボタンも兼ねている。例えば、撮影モード選択ボタン９を押しながらメイン電子ダイヤル８を回転させると、ＴＶ優先→ＡＶ優先→マニアル→プログラム→ＴＶ優先→ＡＶ優先→マニュアル→プログラム…と変更され、撮影者の意図するモードに設定することができる。また、メイン電子ダイヤル８を逆回転させたときは、プログラム→マニュアル→ＡＶ優先→ＴＶ優先→プログラム→…とモードは変更される。
【００１３】
また、撮影モード選択ボタン９と電子ダイヤル８によりＴＶ優先モードが設定されている場合には、メイン電子ダイヤル８を回転させることにより撮影者の希望するＴＶ値を設定することができる。また、撮影モード選択ボタン９とメイン電子ダイヤル８によりＡＶ優先モードが設定されている場合には、メイン電子ダイヤル８を回転させることにより撮影者の希望とするＡＶ値を設定することができる。
【００１４】
１２は撮影条件等を表示する機能を有するＬＣＤ（液晶表示器）である。尚、表示内容の詳細について図３を用いて後述する。１３はＬＣＤ１２の裏面に設置されているバックライト照明装置をオン／オフするための表示パネル照明ボタンである。
【００１５】
１４は露出の補正を行うための露出補正ボタンである。撮影モード選択ボタン９とメイン電子ダイヤル８によりマニュアルモードが設定されたときは、露出補正ボタン１４を押した後、メイン電子ダイヤル８を回転させることで絞り値の入力設定、また、プログラムモード（Ｐ）、シャッター優先モード（Ｔｖ）、絞り優先モード（Ａｖ）においては、露出補正ボタン１４を押した後メイン電子ダイヤル８を回転させることにより、測光した適正露出に対し、カメラの制御露光量を変更する露出補正量の入力設定を行うものである。
図２において、１５はアイピースシャッターを駆動させるための、アイピースシャッターレバーである。このアイピースシャッターレバー１５を時計方向に回動させることにより、アイピースシャッターが接眼窓２を覆い接眼窓からの光の入光を防ぐことができる。
【００１６】
１６は視度の調整を行うための、視度補正ダイヤルである。この視度補正ダイヤル１６を回転させることにより、視度補正レンズが駆動し、視度調整を行われる。１７はメイン電子ダイヤル８と同様の機能を有するサブ電子ダイヤルである。撮影モード選択ボタン９とメイン電子ダイヤル８によりマニュアルモードが設定されたときには、絞り値の入力設定、プログラムモード（Ｐ）、シャッター優先モード（Ｔｖ）、絞り優先モード（Ａｖ）においては測光した適正露出に対し、カメラの制御露光量を変更する露出補正量の入力設定を行うものである。
【００１７】
１８はこのサブ電子ダイヤル１７による入力機能をロックするダイヤルロックスイッチ、１９はデジタルカメラ１の全ての動作を禁止するメインスイッチである。
【００１８】
２０は撮影された画像を表示するときや、デジタルカメラ１の設定状態などを表示するＬＣＤ（液晶表示器）である。なお、本実施形態によるＬＣＤ２０は透過型であるため、ＬＣＤの駆動だけでは、画像を視認することはできず、必ずその裏面にはバックライト照明装置が必要である。
【００１９】
２１は撮影画像を記録するための記憶媒体が挿入されているカードスロットを選択するためのカードスロット選択ボタンである。カードスロット選択ボタン２１を押した後、サブ電子ダイヤル１７を回転させることにより、撮影画像を記録するための記憶媒体の選択を行うことができる。
【００２０】
２２はカメラの初期設定を行う際に各種モードを選択するためのメニューボタンである。各モードを選択するときは、このメニューボタン２２を押しながらサブ電子ダイヤル１７を回転して希望のメニューを選択し、希望のメニューが選択された後、メニューボタン２２を離すと選択が完了する。その後、選択したメニューの機能をオン／オフするためには、選択ボタン２３を押しながらサブ電子ダイヤル１７を回転してオン／オフのどちらかを選択後、選択ボタン２３を離すことで選択が完了する。
【００２１】
２４は記憶媒体内に記録されている画像ファイルを、ＬＣＤ２０に表示させるためのディスプレイボタンである。ディスプレイボタン２４を押しながらサブ電子ダイヤル１７を回転させることで、画像ファイルが順次ＬＣＤ２０に表示され、希望の画像を選択してディスプレイボタン２４を離すことで選択が完了し、ＬＣＤ２０に表示される。
【００２２】
２５は記憶媒体に記録されている画像ファイルを消去するための消去ボタンで、ディスプレイボタン２３とサブ電子ダイヤル１７にて画像を選択後、消去ボタン２５を押すことで、画像の消去が可能である。
【００２３】
２６は撮影した画像ファイルの圧縮率や画像サイズなどを選択する記録画質選択ボタンで、メニューボタン２２とサブ電子ダイヤル１７とで画質変更メニューを選択後、記録画質選択ボタン２６とサブ電子ダイヤル１７にて希望の圧縮率や画像サイズを選択し、記録画質選択ボタン２６を離すことで選択が完了する。
【００２４】
２７は予めカメラ内に記憶されているホワイトバランス調整値を選択するための、ホワイトバランス選択ボタンである。メニューボタン２２とサブ電子ダイヤル１７とでホワイトバランス変更メニューを選択後、ホワイトバランス選択ボタン２７とサブ電子ダイヤル１７にて希望のホワイトバランス調整値を選択し、ホワイトバランス選択ボタン２７を離すことで選択が完了する。
【００２５】
２８はカードスロットカバー開閉つまみで、反時計方向に回すことで、カードスロットカバー２９が開放され、中に収納されている記憶媒体の装着や取り外しを行うことが可能となる。
【００２６】
３０はアクセスランプで装着されている記憶媒体に撮影した画像ファイルを書き込むときや、記憶媒体に書き込まれた画像ファイルを読み出す場合など記憶媒体にアクセス中であるときは点滅を行う。さらに、デジタルカメラ１に搭載されたアクセスランプ３０は、２つの異なる色での発光が可能である。これにより、２枚の記憶媒体が装着されているときは、アクセスしている記憶媒体によって、アクセスランプ３０の色を変えることできるので、撮影者はどちらの記憶媒体へアクセスしているかを、容易に確認することが可能となる。
【００２７】
３１は、デジタルカメラ１のグリップ部３６内に配置されている第１のカードスロットである。３３は、第１のカードスロットに装着されている第１の記憶媒体を取り外すための取り外しボタンである。３２は、デジタルカメラ１のグリップ部３６内に配置されている第２のカードスロットである。３４は、第２のカードスロットに装着されている第２の記憶媒体を取り外すための取り外しボタンである。第１のカードスロット３１及び第２のカードスロット３２は、記憶媒体装着手段と呼ぶこともできる。
【００２８】
３５はデジタルカメラ１を駆動させるための充電可能なバッテリである。なお、バッテリ３５はデジタルカメラ１の底面にほぼ並行になるように配置されている。このように配置することにより、大きな電力が必要である一眼レフ方式のデジタルカメラにおいては、大容量の電池の搭載が可能になる。
【００２９】
次に、図３を用いて、ＬＣＤ１２の表示内容について詳細に説明する。
図３において、１２ａは撮影モードの状態を表示していて、図３においてはマニュアルモードが選択されている状態を表示している。１２ｂ絞り値を７セグメントにて表示し、１２ｃはシャッタースピードを７セグメントにて表示している。１２ｄは撮影可能枚数を表示し、１２ｈは現在書き込みを行っているメモリカードを表示している。
【００３０】
デジタルカメラ１においては、第１の記憶媒体に相当するコンパクトフラッシュ（Ｒ）（以下、ＣＦとも記載する）と第２の記憶媒体に相当するＳＤカード（以下、ＳＤとも表示する）の２種類のメモリカードの装着が可能であるように構成されている。そして、両方のメモリカードに対して同様の画像ファイルを同時に記録する「同時記録モード」と、どちらか一方のメモリカードにだけ画像ファイルの記録を行う「通常記録モード」を備えている。
【００３１】
ここで、「同時記録モード」が選択されているときは、１２ｈの表示領域に「ＣＦ」、「ＳＤ」の両方を表示して、１２ｄには記録できる容量が少ない方のメモリカードの撮影可能枚数を表示する。また、「通常記録モード」が選択されているときには、１２ｈの表示領域に書き込みを行うメモリカードが表示される。（「ＣＦ」、「ＳＤ」のどちらか一方を表示する）また、そのとき１２ｄには、選択されたメモリカードの撮影可能枚数が表示される。
【００３２】
１２ｅにはＡＦモードの状態が表示され、１２ｆにはドライブモードの状態が表示される。１２ｇは露出補正量をドットにて表示し、１ドット１／３段を表している。１２ｊはバッテリ３５の残り容量の目安を表示し、１２ｋは測光モードの状態を表示している。
【００３３】
次に、図４〜図７を用いて、デジタルカメラ１の詳細な構成を説明する。図４はデジタルカメラ１のレイアウトを上面から見た図であり、図５はデジタルカメラ１のレイアウトを背面から見た図である。また、図６はデジタルカメラ１に搭載されている第１のカードスロット３１及びこれに装着可能な第１の記憶媒体５１の斜視図であり、図７はデジタルカメラ１に搭載されている第２のカードスロット３２及びこれに装着可能な第２の記憶媒体５２の斜視図である。
【００３４】
図４〜図７において、５０は撮影光軸を示している。５１は第１のカードスロット３１に装着可能な第１の記憶媒体である（複数の記憶媒体に相当する）。なお、第１の記憶媒体５１には撮像素子５３にて撮像された画像の画像ファイルを記録することが可能である。また、３１ａは第１のカードスロットの最も広い面であり、５１ａは第１の記憶媒体の最も広い面である。
【００３５】
５２は第２のカードスロット３２に装着可能な第２の記憶媒体である（複数の記憶媒体に相当する）。なお、第２の記憶媒体５２には撮像素子５３にて撮像された画像の画像ファイルを記録することが可能である。また、３２ａは第２のカードスロットの最も広い面であり、５２ａは第２の記憶媒体の最も広い面である。５４は第１の記憶媒体５１及び第２の記憶媒体５２をデジタルカメラ１に挿抜する方向を示していて、撮影光軸５０にほぼ並行である。
【００３６】
図６において、５１ｂは挿抜方向５４における第１の記憶媒体５１の長さを示し、５１ｃは挿抜方向５４に対して垂直方向における第１の記憶媒体５１の長さを示している。また、図７において、５２ｂは挿抜方向５４における第２の記憶媒体５２の長さを示し、５２ｃは挿抜方向５４に対して垂直方向における第２の記憶媒体５２の長さを示している。
【００３７】
次に、図４及び図５を用いて、カードスロット及び記憶媒体のレイアウトについて説明する。
図４及び図５において、第１のカードスロット３１と第２のカードスロット３２は、それぞれのカードスロットの最も広い面である３１ａと３２ａとがほぼ並行で、且つ、３１ａと３２ｂは撮影光軸５０とほぼ並行になるようにデジタルカメラ１のグリップ部３６内に配置されている。
【００３８】
また、第１の記憶媒体５１と第２の記憶媒体５２とが、第１のカードスロット３１と第２のカードスロット３２それぞれに装着された状態において、それぞれの記憶媒体の最も広い面である５１ａと５２ａとがほぼ並行で、且つ、３１ａと３２ｂは撮影光軸５０とほぼ並行になるようにデジタルカメラ１のグリップ部３６内に配置されている。
【００３９】
また、第１のカードスロット３１と第２のカードスロット３２それぞれに、記憶媒体が装着された状態のとき、記憶媒体の挿抜方向５４の方向で第１の記憶媒体５１と第２の記憶媒体５２の長さを比較した場合、つまり、５１ｂと５２ｂを比較した場合、長いほうが撮影光軸５０側に位置する関係になるように、第１のカードスロット３１と第２のカードスロット３２は配置されている。
【００４０】
また、第１の記憶媒体５１と第２の記憶媒体５２が、第１のカードスロット３１と第２のカードスロット３２にそれぞれ装着された状態において、第１の記憶媒体５１と第２の記憶媒体５２は、デジタルカメラ１の下面とほぼ並行に配置されているバッテリ３５とは、ほぼ直交するように配置されている。
【００４１】
また、第１の記憶媒体５１と第２の記憶媒体５２が、第１のカードスロット３１と第２のカードスロット３２にそれぞれ装着された状態において、図５におけるＹ方向にて（挿抜方向５４に対しては、垂直方向）、記憶媒体の長いほう（つまり、５１ｃと５２ｃを比較して長いほう）が撮影光軸側になるように、第１のカードスロット３１と第２のカードスロット３２は配置されている。
【００４２】
このように、第１のカードスロット３１と第２のカードスロット３２を配置することで、撮像素子５３と第１のカードスロット３１との間に空間５４ができ、グリップ部３６を撮像素子１側へ寄せることが可能となるので、デジタルカメラ１の小型化が可能となる。
【００４３】
また、グリップ部３６は把持し易くするため、通常１ａのように曲面にて形成されている。このように、グリップ部３６の曲面側に小型のカードスロットを配置することにより、図５及び６における１ｂ部の空間を小さくできるので、無駄なスペースを小さくでき、デジタルカメラ１の小型化が可能となる。
【００４４】
このように、本実施形態に係るデジタルカメラ１によれば、撮像素子と、複数のカードスロットとの間隔を縮めることができるので、特に、光軸と直交する方向の小型化が可能となる。
【００４５】
また、本実施形態に係るデジタルカメラ１によれば、デジタルカメラ１の底面部に大型のバッテリ３５を配置することができるので、大型の撮像素子を搭載することも、デジタルカメラ１の動作可能時間を長くすることもできる。
【００４６】
また、本実施形態に係るデジタルカメラ１によれば、撮影時に把持するグリップ部３６の曲面内に複数のカードスロットを配置したので、グリップ部３６の曲面部とカードスロットとの隙間を小さくすることができ、デジタルカメラ１の横方向の寸法を小さくすることができる。
【００４７】
本発明は、画像を撮影する機能を有する装置（所謂、撮像装置）であれば、デジタルカメラ以外の装置でも実施することができる。例えば、カメラ付き携帯電話でも実施することができる。
【００４８】
また例えば、本発明は、２つの記憶媒体が装着できる装置に限らず、３つ以上の記憶媒体が装着できる装置で実施することもできる。
【図面の簡単な説明】
【００４９】
【図１】本発明に好適な実施形態に係るデジタルカメラの上面図である。
【図２】本発明に好適な実施形態に係るデジタルカメラの背面図である。
【図３】本発明に好適な実施形態に係るデジタルカメラに搭載されているＬＣＤの詳細図である。
【図４】本発明に好適な実施形態に係るデジタルカメラのレイアウトを上面から見た図である。
【図５】本発明に好適な実施形態に係るデジタルカメラのレイアウトを背面から見た図である。
【図６】本発明に好適な実施形態に係るデジタルカメラに搭載されている第１のカードスロット及びこれに装着可能な第１の記憶媒体の斜視図である。
【図７】本発明に好適な実施形態に係るデジタルカメラに搭載されている第２のカードスロット及びこれに装着可能な第２の記憶媒体の斜視図である。
【符号の説明】
【００５０】
１ａ  グリップ部３６の曲面
１ｂ  グリップ部３６の所定部
３１  第１のカードスロット
３１ａ  第１のカードスロット３１の最も広い面
３２  第２のカードスロット
３２ａ  第２のカードスロット３２の最も広い面
３５  バッテリ
３６  グリップ部
５０  撮影光軸
５１  第１の記憶媒体
５１ａ  第１の記憶媒体５１の最も広い面
５２  第２の記憶媒体
５２ａ  第２の記憶媒体５２の最も広い面
５４  挿抜方向
【図１】
2005217803.tif 000003
【図２】
2005217803.tif 000004
【図３】
2005217803.tif 000005
【図４】
2005217803.tif 000006
【図５】
2005217803.tif 000007
【図６】
2005217803.tif 000008
【図７】
2005217803.tif 000009